(57)【要約】【課題】液体詰め替え時に、詰め替え液体用容器本体を逆さにする前に液出口部がポンプ付き容器の容器本体の液出口部に接続することができて、詰め替え液体用容器本体を逆さにして放置しても、詰め替え液体が外部にこぼれることがなく詰め替えを行なえる詰め替え液体用容器本体を提供すること。【解決手段】詰め替え液体用容器本体１０の液出口部１１は、大径円筒部１４と、大径円筒部１４の端部から上方に延在された小径円筒部１５と、備え、小径円筒部１５は、ポンプ付き液体容器の容器本体３０の液出口部３１の開口に挿入可能な大きさに形成され、大径円筒部１４は、小径円筒部１５がポンプ付き液体容器の容器本体３０の液出口部３１の開口に挿入されたときに液出口部３１の端面に当接するように設けられている構成としている。【選択図】図１
2018065607.tif 000002
【特許請求の範囲】
【請求項１】
上部に液出口部を有する有底形状にブロー成形されてなる詰め替え液体用容器本体であって、
前記液出口部は、
前記液出口部を閉塞可能な蓋体の内面に設けられた雌ねじ部に螺合可能な雄ねじ部を外面に有する大径円筒部と、
前記大径円筒部の端部から上方に延在された小径円筒部と、備え、
前記小径円筒部は、ポンプ付き液体容器の容器本体の液出口部の開口に挿入可能な大きさに形成され、
前記大径円筒部は、前記ポンプ付き液体容器の容器本体の液出口部の端面に当接可能に設けられていることを特徴とする詰め替え液体用容器本体。
【請求項２】
請求項１に記載の詰め替え液体用容器本体と、
前記詰め替え液体用容器本体の液出口部を閉塞可能な蓋体と、を備え、
前記蓋体は、
下端が開口され、かつ前記開口を介して前記小径円筒部および前記大径円筒部に被さる形状であり、
前記大径円筒部の前記雄ねじ部に螺合可能な雌ねじ部を内面に有し、
前記小径円筒部の内面、端面または前記大径円筒部の外面に設けられた鍔部に対して密着可能なシール部を有することを特徴とする詰め替え液体用容器。
【発明の詳細な説明】
【技術分野】
【０００１】
本発明は、詰め替え液体用容器本体および詰め替え液体用容器に関する。
【背景技術】
【０００２】
従来、ボディソープ、シャンプー、洗濯用洗剤、柔軟剤、食器洗い洗剤等の液体がポンプ付き液体容器に充填された商品がある。また、ボディソープ、シャンプー、洗濯用洗剤、柔軟剤、食器洗い洗剤等の詰め替え液体がスタンディングパウチで包装された商品がある（例えば、特許文献１参照）。
【０００３】
ポンプ付き液体容器内が空になったときには、スタンディングパウチ内の詰め替え液体を充填している。
【先行技術文献】
【特許文献】
【０００４】
【特許文献１】特開２０１５−２０９２１２号公報
【発明の概要】
【発明が解決しようとする課題】
【０００５】
しかしながら、特許文献１のスタンディングパウチは、フィルムからなるので、液体が流出していくと共に、扁平になり腰折れするので、液体の詰め替え作業に当たっては、スタンディングパウチの上端に設けられて液注出部の先を切除してから、該液注出部をポンプ付き液体容器の容器本体の液出口部に挿し込み、全量の詰め替えが終わるまでスタンディングパウチを逆さに保持する必要があり、その間は、液体の詰め替えを行うものが他の作業のために離れるということはできないという問題があった。
【０００６】
特に、スタンディングパウチは、内部の液体が少なくなると、パウチを構成している前面部と裏面部との間のギャップが小さくなり、粘性を有する液体が流下しにくくなるので、前面部と裏面部との間のギャップがなくなるように扱いて強制的に絞り出す必要があり、この際にスタンディングパウチの液注出部がポンプ付き液体容器の容器本体の液出口部から外れてしまうことがあり、詰め替え液体が外部にこぼれてしまいむだになるという問題があった。
【０００７】
本発明は、上述した問題に鑑みてなされたもので、ポンプ付き液体容器の容器本体に詰め替え液体を詰め替える際に、詰め替え液体用容器本体を逆さにする前に液出口部をポンプ付き容器の容器本体の液出口部に接続することができて、詰め替え液体が外部にこぼれることがないように詰め替えを行うことができ、容器本体の内面に液体が付着している状態が無くなるまで逆さ状態に放置することができる詰め替え液体用容器本体および詰め替え液体用容器を提供することを目的としている。
【課題を解決するための手段】
【０００８】
本発明に係る詰め替え液体用容器本体は、上記課題を解決するため、上部に液出口部を有する有底形状にブロー成形されてなる詰め替え液体用容器本体であって、前記液出口部は、前記液出口部を閉塞可能な蓋体の内面に設けられた雌ねじ部に螺合可能な雄ねじ部を外面に有する大径円筒部と、前記大径円筒部の端部から上方に延在された小径円筒部と、備え、前記小径円筒部は、ポンプ付き液体容器の容器本体の液出口部の開口に挿入可能な大きさに形成され、前記大径円筒部は、前記ポンプ付き液体容器の容器本体の液出口部の端面に当接可能に設けられている構成である。
【０００９】
本発明に係る詰め替え液体用容器は、上記課題を解決するため、上述した詰め替え液体用容器本体と、前記詰め替え液体用容器本体の液出口部を閉塞可能な蓋体と、を備え、前記蓋体は、下端が開口され、かつ前記開口を介して前記小径円筒部および前記大径円筒部に被さる形状であり、前記大径円筒部の前記雄ねじ部に螺合可能な雌ねじ部を内面に有し、前記小径円筒部の内面、端面または前記大径円筒部の外面に設けられた鍔部に対して密着可能なシール部を有する構成とする。
【００１０】
これらの構成によれば、本発明に係る詰め替え液体用容器本体および詰め替え液体用容器は、ポンプ付き液体容器内の液体が少なくなったときに、内部に充填されている詰め替え液体がポンプ付き液体容器内に補充されるために供される。液体の詰め替え作業は、詰め替え液体用容器本体内の詰め替え液体が液出口部から流出しない限度に該詰め替え液体用容器本体を傾けるとともに、傾斜した詰め替え液体用容器本体の液出口部の中心線上にポンプ付き液体容器の液出口部の中心線が来るようにポンプ付き液体容器の容器本体を逆さにして、小径円筒部をポンプ付き液体容器の容器本体の液出口部の開口に挿入するとともに、大径円筒部をポンプ付き液体容器の容器本体の液出口部の端面に当接させることにより、詰め替え液体用容器本体の液出口部がポンプ付き容器の容器本体の液出口部に確実に接続される。次いで、ポンプ付き容器の容器本体と詰め替え液体用容器本体の上下関係を逆転すると、詰め替え液体用容器本体内の詰め替え液体がポンプ付き容器の容器本体内に充填される。
【００１１】
以上のように、ポンプ付き液体容器の容器本体に詰め替え液体を詰め替える際に、詰め替え液体用容器本体を逆さにする前に、小径円筒部をポンプ付き液体容器の容器本体の液出口部の開口に挿入するとともに、大径円筒部をポンプ付き液体容器の容器本体の液出口部の端面に当接させる構成であるので、詰め替え液体が外部にこぼれることがないように詰め替えを行うことができ、容器本体の内面に液体が付着している状態が無くなるまで逆さ状態に放置することができる。
【００１２】
また、本発明に係る詰め替え液体用容器は、蓋体を詰め替え液体用容器本体の小径円筒部および大径円筒部に被せるとともに、蓋体の雌ねじ部を詰め替え液体用容器本体の大径円筒部の雄ねじ部に螺合させると、蓋体が詰め替え液体用容器本体の液出口部に確実に接続されるとともに、シール部が前記小径円筒部の内面、端面または前記大径円筒部の外面に設けられた鍔部に対して密着して液密性が保持される。
【００１３】
よって、本発明に係る詰め替え液体用容器は、該詰め替え液体用容器が転倒しても、詰め替え液体用容器本体に充填された液体が外部に流れ出ることがない。
【発明の効果】
【００１４】
本発明によれば、ポンプ付き液体容器の容器本体に詰め替え液体を詰め替える際に、詰め替え液体用容器本体を逆さにする前に液出口部をポンプ付き容器の容器本体の液出口部に接続することができて、詰め替え液体が外部にこぼれることがないように詰め替えを行うことができ、容器本体の内面に液体が付着している状態が無くなるまで逆さ状態に放置することができる詰め替え液体用容器本体および詰め替え液体用容器を提供することができる。
【図面の簡単な説明】
【００１５】
【図１】本発明の実施の形態に係る詰め替え液体用容器本体の液出口部にポンプ付き液体容器の容器本体の液出口部が接続され、液体がポンプ付き液体容器の容器本体に詰め替えられた後の状態を示す縦断面図である。
【図２】本発明の実施の形態に係る詰め替え液体用容器の縦断面図である。
【図３】本発明の実施の形態に係る詰め替え液体用容器本体の液出口部にポンプ付き液体容器の容器本体の液出口部が接続され、液体がポンプ付き液体容器の容器本体に詰め替えられる前の状態を示す縦断面図である。
【発明を実施するための形態】
【００１６】
以下、本発明の実施の形態に係る詰め替え液体用容器および詰め替え液体用容器本体について図面を参照しつつ説明する。
【００１７】
図１は本発明の実施の形態に係る詰め替え液体用容器本体からポンプ付き液体容器の容器本体に液体の詰め替えが完了した状態を示す。また、図２は本発明の実施の形態に係る詰め替え液体用容器を示す。
【００１８】
図２に示すように、本実施の形態に係る詰め替え液体用容器１は、詰め替え液体用容器本体１０と、蓋体２０とを備え、内部に詰め替え液体Ｌが充填されており、ポンプ付き液体容器内の液が無くなったときに、図３、図１に示すように、詰め替え液体Ｌの詰め替えが行われる。
【００１９】
詰め替え液体用容器本体１０は、ポリエチレンテレフタレート（ＰＥＴ）、ポリプロピレン（ＰＰ）などの樹脂をブロー成形されてなる。蓋体２０は、ポリプロピレン（ＰＰ）、ポリエチレン（ＰＥ）などの樹脂を射出成形されてなる。
【００２０】
液出口部１１は、大径円筒部１４と、大径円筒部１４の端部から上方に延在され、ポンプ付き液体容器の容器本体３０の液出口部３１の開口に挿入可能な大きさに形成されている小径円筒部１５と、大径円筒部１４の外面下部より延在する鍔部１６と、備えている。
【００２１】
大径円筒部１４は、液出口部１１を閉塞可能な蓋体２０の内面に設けられた雌ねじ部２１に螺合可能な雄ねじ部１７を外面に有している。
【００２２】
小径円筒部１５は、上部の外面が上方に先細りとなるテーパー形状を有しており、液出口部３１の開口に挿入されたときに外面が液出口部３１の内面に密着するように、テーパー部よりも下側の外径が液出口部３１の開口の内径と等しく形成されている。
【００２３】
また、液出口部１１は、小径円筒部１５の全体をポンプ付き液体容器の容器本体３０の液出口部３１に挿入させると、大径円筒部１４の 端面が液出口部３１の端面に当接するようになっている。
【００２４】
蓋体２０は、詰め替え液体用容器本体１０の液出口部１１を閉塞可能に構成されている。蓋体２０は、下端が開口され、かつ開口を介して液出口部１１の小径円筒部１５および大径円筒部１４に被さる形状であり、大径円筒部１４の雄ねじ部１７に螺合可能な雌ねじ部２１を下部内面に有する。
【００２５】
蓋体２０は、下端の開口を介して液出口部１１の小径円筒部１５および大径円筒部１４に被せられ、雌ねじ部２１が大径円筒部１４の雄ねじ部１７に最後まで螺合されたときに、小径円筒部１５の内面、端面、大径円筒部１４の外面に設けられた鍔部１６の上面に対して密着可能なシール部２２，２３，２４を有している。シール部２２は、小径円筒部１５の内面に密着されて小径円筒部１５をシールし、シール部２３は、小径円筒部１５の端面に密着されて小径円筒部１５をシールし、シール部２４は、鍔部１６の上面に密着されて小径円筒部１５をシールする。
【００２６】
シール部２２は、蓋体２０の裏面に設けられた環状体であり、小径円筒部１５の内面に密着されて小径円筒部１５をシールするようになっている。シール部２３は、蓋体２０の裏面にシール部２２の周囲を囲むように設けられた環状体であり、小径円筒部１５の端面に密着されて小径円筒部１５をシールするようになっている。シール部２４は、蓋体２０の開口端面そのものであり、鍔部１６の上面に密着されて小径円筒部１５をシールするようになっている。
【００２７】
詰め替え液体用容器１は、詰め替え液体Ｌが充填される詰め替え液体用容器本体１０と、蓋体２０とを備え、内部に詰め替え液体Ｌが充填される。
【００２８】
ポンプ付き液体容器は、図１に示す容器本体３０と、図示しないポンプ本体とを有する。ポンプ付き液体容器の容器本体３０は、ポリエチレンテレフタレート（ＰＥＴ）、ポリプロピレン（ＰＰ）などの樹脂をブロー成形されてなる。
【００２９】
詰め替え液体用容器本体１０は、上部に液出口部１１と、液出口部１１に連接する下方に向けて拡径する拡径部１２と、拡径部１２に連接する円筒状の胴部１３と、胴部１３に連接する底面部１８と、を有する有底容器である。底面中央部１８ａは容器内側に向けて窪んでおり、底面周辺部１８ｂは一平面状に形成され、もって、安定した着座性を有する。
【００３０】
ポンプ付き液体容器の容器本体３０は、上部に設けられた円筒状の液出口部３１と、液出口部３１に連接され下方に向けて拡径された拡径部３２と、拡径部３２に連接された円筒状の胴部３３と、胴部３３に連接され胴部３３の下端を閉じている底面部３４と、を有する有底容器である。底面中央部３４ａは容器内側に向けて窪んでおり、底面周辺部３４ｂは一平面状に形成され、もって、安定した着座性を有する。
【００３１】
胴部３３は、液出口部３１に関し、右側壁３３ｂが左側壁３３ａよりも大きく離れている。拡径部３２は、左右非対称のラッパ形状部であり、漸次拡径して胴部３３の左側壁３３ａに滑らかに連接する形状である左側壁３２ａと、断面形状が液出口部３１より急拡大してから半円状に突出した後、絞られてから再び拡径して胴部３３の右側壁３３ｂに滑らかに連接する形状である右側壁３２ｂとを有する。
【００３２】
容器本体３０は、図３に示すように、詰め替え液体の詰め替えに際して、逆さ斜めの姿勢とされて詰め替え液体用容器本体１０と接続されるときに、右側壁３３ｂの内面部分が残っている液体の第１の溜まり部となり、また右側壁３２ｂの半円状に突出した部分の内側付近が残っている液体の第２の溜まり部となる。したがって、詰め替え液体の詰め替えに際して、内部に少量の液体が残っている容器本体３０が逆さ斜めの姿勢とされても、内部に残っている液体が容器本体３０の液出口部３１から流出しないようになっている。
【００３３】
液出口部３１の外面には雄ねじ部３５が設けられている。雄ねじ部３５は、後述するポンプ本体のキャップ状の取付部の内面に設けられた雌ねじ部に螺合可能である。
【００３４】
図示しないポンプ本体は、人力の作動部がプッシュ式構造のもの、またはトリガーを引く構造のものなどいずれであってもよい。ポンプ本体は、例えばシリンダを有し、該シリンダを詰め替え液体用容器本体１０の液出口部１１内に垂下し、該シリンダの上部に備えられるキャップ状の取付部を液出口部１１に被せて螺合して固定されるようになっている。ポンプ本体は、人力の作動部の押し込みにより下動しばねの蓄勢復帰力により上動復帰するピストンがシリンダ内に収容され、シリンダの下部に逆止弁を備え、シリンダより下方に吸い上げパイプが垂下している。シリンダの上端部には横方向に吐出する吐液部を有する。
【００３５】
以下、本実施の形態に係る詰め替え液体用容器１および詰め替え液体用容器本体１０の作用について説明する。
【００３６】
詰め替え液体用容器１は、詰め替え液体用容器本体１０に詰め替え液体Ｌが充填され、液出口部１１が蓋体２０により閉塞された形態で販売され、詰め替え液体Ｌが、ポンプ付き液体容器の容器本体３０内の液体が少なくなったときに、ポンプ付き液体容器内に補充されるために供される。
【００３７】
本実施の形態に係る詰め替え液体用容器１は、蓋体２０を詰め替え液体用容器本体１０の小径円筒部１５および大径円筒部１４に被せ、蓋体２０の雌ねじ部２１を詰め替え液体用容器本体１０の大径円筒部１４の雄ねじ部１７に螺合させると、蓋体２０が詰め替え液体用容器本体１０の液出口部１１に確実に接続されるとともに、シール部２２，２３，２４が小径円筒部１５の内面、端面、大径円筒部１４の外面に設けられた鍔部１６の上面に対して密着して液密性が保持される。
【００３８】
詰め替え液体Ｌを詰め替えるには、詰め替え液体用容器１の蓋体２０を取り外すとともに、ポンプ付き液体容器の容器本体３０から図示しないポンプ本体を取り外す。
【００３９】
次に、図３に示すように、液体の詰め替え作業は、詰め替え液体用容器本体１０内の詰め替え液体Ｌが液出口部１１から流出しない限度に該詰め替え液体用容器本体１０を傾けるとともに、傾斜した詰め替え液体用容器本体１０の液出口部１１中心線上にポンプ付き液体容器の容器本体３０の液出口部３１中心線が来るようにポンプ付き液体容器の容器本体３０を逆さにして、小径円筒部１５をポンプ付き液体容器の容器本体３０の液出口部３１の開口に挿入するとともに、大径円筒部１４の端面を液出口部３１の端面に当接させることにより、詰め替え液体用容器本体１０の液出口部１１がポンプ付き液体容器の容器本体３０の液出口部３１に確実に接続される。ポンプ付き液体容器の容器本体３０を逆さにすると、該ポンプ付き液体容器の容器本体３０に残っている液体が、右側壁３３ｂの第１の液溜まりや右側壁３３ｂの第２の液溜まりに溜まる。このため、詰め替え液体用容器本体１０の液出口部１１とポンプ付き液体容器の容器本体３０の液出口部３１との接続が完了する前に、ポンプ付き液体容器の容器本体３０に残っている液体が液出口部３１から外部に流れ出すことがない。次いで、ポンプ付き液体容器の容器本体３０と詰め替え液体用容器本体１０の上下関係を逆転すると、詰め替え液体用容器本体１０内の詰め替え液体Ｌがポンプ付き液体容器の容器本体３０内に充填される。
【００４０】
以上のように、ポンプ付き液体容器の容器本体３０に詰め替え液体Ｌを詰め替える際に、詰め替え液体用容器本体１０を逆さにする前に、小径円筒部１５をポンプ付き液体容器の容器本体３０の液出口部３１の開口に挿入するとともに、大径円筒部１４の端面をポンプ付き液体容器の容器本体３０の液出口部３１の端面に当接させる構成であるので、詰め替え液体Ｌが外部にこぼれることがないように詰め替えを行うことができ、詰め替え液体用容器本体１０の内面に粘性を有する詰め替え液体Ｌが付着している状態が無くなるまで逆さ状態に放置することができる。
【００４１】
詰め替え液体用容器本体１０に充填されていた詰め替え液体Ｌの全量がポンプ付き液体容器の容器本体３０に詰め替えられたならば、詰め替え液体用容器本体１０を取り外し、ポンプ本体を取り付ける。
【００４２】
以上説明したように、本発明によれば、ポンプ付き液体容器の容器本体に詰め替え液体を詰め替える際に、詰め替え液体用容器本体を逆さにする前に液出口部をポンプ付き容器の容器本体の液出口部に接続することができて、詰め替え液体が外部にこぼれることがないように詰め替えを行うことができ、容器本体の内面に液体が付着している状態が無くなるまで逆さ状態に放置することができるという効果を有し、詰め替え液体用容器本体および詰め替え液体用容器の全般に有用である。
【符号の説明】
【００４３】
１  詰め替え液体用容器
１０  詰め替え液体用容器本体
１１，３１  液出口部
１４  大径円筒部
１５  小径円筒部
１６  鍔部
１７，３３  雄ねじ部
２０  蓋体
２１  雌ねじ部
２２，２３，２４  シール部
３０  ポンプ付き液体容器の容器本体
【図１】
2018065607.tif 000003
【図２】
2018065607.tif 000004
【図３】
2018065607.tif 000005
【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
上部に液出口部を有する有底形状にブロー成形されてなる詰め替え液体用容器本体と、前記詰め替え液体用容器本体の液出口部を閉塞可能な蓋体と、を備え、前記詰め替え液体用容器本体内に詰め替え液体が収容されているとき、前記詰め替え液体用容器本体から被詰め替え容器の容器本体内に前記詰め替え液体を補充することができる詰め替え液体用容器であって、
前記液出口部は、雄ねじ部を外面に有する大径円筒部と、前記大径円筒部から上方に延びる小径円筒部と、を有し、
前記蓋体が前記液出口部を開放するよう取り外されたときには、前記小径円筒部が、前記被詰め替え容器の容器本体の口部に密着状態で挿入されるとともに、前記大径円筒部が、前記被詰め替え容器の容器本体の前記口部の端面に当接する状態で、該口部が前記詰め替え液体用容器本体に接続される一方、
前記蓋体が前記詰め替え液体用容器の前記液出口部を閉塞するときには、前記蓋体が、下端側の開口を介して前記小径円筒部および前記大径円筒部に被さる形状であるとともに、前記大径円筒部の前記雄ねじ部に螺合することを特徴とする詰め替え液体用容器。
【請求項２】
前記蓋体は、前記小径円筒部の端面側の内面に密着する第１シール部と、前記小径円筒部の端面に密着する第２シール部と、前記大径円筒部に螺合する前記雌ねじ部の下端側の開口端面部に位置し、前記大径円筒部の外面下部に設けられた鍔部に密着する第３シール部とを有することを特徴とする請求項１に記載の詰め替え液体用容器。
【請求項３】
前記蓋体が取り外された前記詰め替え液体用容器本体を着座姿勢から傾斜させて、前記小径円筒部を空状態の前記被詰め替え容器の容器本体の口部に密着状態で挿入するように構成されており、該傾斜した挿入姿勢にて前記詰め替え液体が前記小径円筒部の開口から流出しないよう前記詰め替え液体の量が設定されていることを特徴とする詰め替え液体用容器。
【請求項４】
前記被詰め替え容器は、ポンプ付き液体容器であることを特徴とする請求項１ないし３のいずれか１項に記載の詰め替え液体用容器。
【手続補正３】
【補正対象書類名】明細書
【補正対象項目名】００２６
【補正方法】変更
【補正の内容】
【００２６】
シール部２２（第１シール部）は、蓋体２０の裏面に設けられた環状体であり、小径円筒部１５の内面に密着されて小径円筒部１５をシールするようになっている。シール部２３（第２シール部）は、蓋体２０の裏面にシール部２２の周囲を囲むように設けられた環状体であり、小径円筒部１５の端面に密着されて小径円筒部１５をシールするようになっている。シール部２４（第３ール部）は、蓋体２０の開口端面そのものであり、鍔部１６の上面に密着されて小径円筒部１５をシールするようになっている。